(57)【特許請求の範囲】
【請求項１】
室内機の内部に設けた熱交換器と、熱媒水加熱用又は冷却用の室外熱源機とが熱媒水循環管で接続され、この熱媒水循環管の途中に室温コントローラからの指令によって熱媒水の通水を開閉させる熱動弁が設けられている冷温水空調機であって、
この冷温水空調機の連続運転状態における熱動弁の１回当りの開放保持時間及び１回当りの閉鎖保持時間の下限時間が、当該冷温水空調機の保証時間を熱動弁の耐用回数で除した時間に設定され、
前記熱動弁は、前記下限時間を経過するまでは室温コントローラからの指令を受け付けず、下限時間を経過した時点で室温コントローラからの指令を受け付けて作動することを特徴とする冷温水空調機。
【請求項２】
室内機の内部に設けた熱交換器と、熱媒水加熱用又は冷却用の室外熱源機とが熱媒水循環管で接続され、この熱媒水循環管の途中に室温コントローラからの指令によって熱媒水の通水を開閉させる熱動弁が設けられている冷温水空調機であって、
この冷温水空調機の連続運転状態における熱動弁の開閉１サイクル時間の下限時間が、当該冷温水空調機の保証時間を熱動弁の耐用回数で除した時間の２倍に設定され、
前記熱動弁は、前記下限時間を経過するまでは室温コントローラからの指令を受け付けず、下限時間を経過した時点で室温コントローラからの指令を受け付けて作動することを特徴とする冷温水空調機。
【発明の詳細な説明】
【０００１】
【発明の属する技術分野】
本発明は、水を熱媒とし、ファンコイルユニットや浴室暖房換気装置等として使用される冷温水空調機に関し、特に、熱動弁の作動回数を規制する技術に関する。
【０００２】
【従来の技術】
冷温水空調機は、室内機の内部に設けた熱交換器と、熱媒水加熱用又は冷却用の室外熱源機とが熱媒水循環管で接続され、この熱媒水循環管により室外熱源機と熱交換器との間で熱媒水を循環させながら室内を空調するようになっている。
そして、室温制御については、熱媒水循環管の途中に熱動弁を設け、この熱動弁を室温コントローラからの指令で開閉作動させることにより、熱媒水循環管の通水を開閉させて行うようになっている。
【０００３】
この場合、熱動弁の耐用寿命の仕様として一定の作動回数（耐用回数）が設定されており、この耐用回数以内で品質保証がなされている。
【０００４】
【発明が解決しようとする課題】
しかしながら、冷温水空調機の使用形態、例えば、室温制御を頻繁に行うような環境下では、冷温水空調機の保証時間（例えば１０，０００時間）内で熱動弁を耐用回数（例えば１００，０００回（１０回／時））以上に酷使することがある。
このような場合には、熱動弁の作動が保証されないために、作動不良が生じたり故障が発生することが十分に考えられる。
【０００５】
本発明は、このような点に鑑みなされたもので、熱動弁の作動回数を規制し、冷温水空調機の保証時間内で熱動弁の作動回数が耐用回数を越えることがないように、熱動弁の作動保持時間の下限を設定することで、熱動弁の作動不良や故障といったトラブルを未然に防止することができるようにした冷温水空調機を提供することを課題としている。
【０００６】
【課題を解決するための手段】
上記課題を解決するために、本発明の冷温水空調機（請求項１）は、
室内機の内部に設けた熱交換器と、熱媒水加熱用又は冷却用の室外熱源機とが熱媒水循環管で接続され、この熱媒水循環管の途中に室温コントローラからの指令によって熱媒水の通水を開閉させる熱動弁が設けられている冷温水空調機であって、
この冷温水空調機の連続運転状態における熱動弁の１回当りの作動保持時間（開放保持時間及び閉鎖保持時間）の下限時間が、当該冷温水空調機の保証時間を熱動弁の耐用回数で除した（割った）時間に設定され、
前記熱動弁は、前記下限時間を経過するまでは室温コントローラからの指令を受け付けず、下限時間を経過した時点で室温コントローラからの指令を受け付けて作動する構成とした。
【０００７】
又、本発明の冷温水空調機（請求項２）は、
室内機の内部に設けた熱交換器と、熱媒水加熱用又は冷却用の室外熱源機とが熱媒水循環管で接続され、この熱媒水循環管の途中に室温コントローラからの指令によって熱媒水の通水を開閉させる熱動弁が設けられている冷温水空調機であって、
この冷温水空調機の連続運転状態における熱動弁の作動保持時間（開閉１サイクル時間）の下限時間が、当該冷温水空調機の保証時間を熱動弁の耐用回数で除した（割った）時間の２倍に設定され、
前記熱動弁は、前記下限時間を経過するまでは室温コントローラからの指令を受け付けず、下限時間を経過した時点で室温コントローラからの指令を受け付けて作動する構成とした。
【０００８】
【発明の実施の形態】
以下、本発明の実施の形態を図面により説明する。尚、本発明の具体的な構成は、以下の各実施の形態に限定されるものではない。
図１は本発明の実施の１形態である冷温水空調機の概略説明図である。
【０００９】
この冷温水空調機は、内部に熱交換器１０が設けられた室内機１と、熱媒水加熱用又は冷却用の室外熱源機２とを備え、前記熱交換器１０と室外熱源機２とが熱媒水循環管３で接続されたものになっている。
前記熱媒水循環管３の途中には、熱媒水の通水を開閉させる熱動弁４が設けられており、この熱動弁４は、室温コントローラ５からの指令によって開閉動作するようになっている。
【００１０】
従って、暖房時の冷温水空調機の連続運転状態において、室温が設定温度以下に下がると、室温コントローラ５からの指令によって熱動弁４が開放し、熱媒水循環管３を通して室内機１の熱交換器１０と室外熱源機２との間を熱媒水が循環することから、室温を上昇させていくことができる。
逆に、室温が設定温度以上に上がると、室温コントローラ５からの指令により熱動弁４が閉鎖し、熱媒水循環管３による熱媒水の循環が停止することから、室温を下降させていくことができる。
尚、冷房時は逆の動きで熱動弁を制御し、室温を調節することができる。
【００１１】
そして、前記熱動弁４は、冷温水空調機の連続運転状態における１回当りの作動保持時間（開放保持時間及び閉鎖保持時間）の下限が、冷温水空調機の保証時間を熱動弁４の耐用回数で除した時間に設定されている。
例えば、冷温水空調機の保証時間を１０，０００時間（６００，０００分）とし、熱動弁４の耐用回数を１００，０００回（１０回／６０分）とすると、熱動弁４の１回当りの作動保持時間は、冷温水空調機の保証時間を熱動弁４の耐用回数で除した（割った）時間、即ち、６００，０００÷１００，０００となって最低６分となる。
【００１２】
従って、この１回当りの時間（６分）を熱動弁４の作動保持時間の下限として設定しておけば、冷温水空調機の保証時間内で熱動弁４の作動回数が耐用回数を越えることはない。ここで、熱動弁４の作動回数とは、開放保持状態（又は閉鎖保持状態）から閉鎖状態（又は開放状態）に切り替わる動作を１回とする。
これにより、熱動弁４は、仮に室温コントローラ５からの指令を受けたとしても、そのときの状態（開放保持状態又は閉鎖保持状態）が下限時間（６分）を経過するまでは、室温コントローラ５からの指令を受け付けず、下限時間を経過した時点で室温コントローラ５からの指令を受け付けて、作動することになる。
【００１３】
このように、熱動弁４の作動保持時間の下限を設定することにより、熱動弁４の作動回数が規制されて、冷温水空調機の保証時間内で熱動弁４の作動回数が耐用回数を越えることがないため、熱動弁４の作動不良や故障といったトラブルを未然に防止することができる。
【００１４】
又、熱動弁４の作動回数を規制するための作動保持時間の下限設定の他例として、冷温水空調機の連続運転状態における熱動弁４の開閉１サイクル時間の下限を、当該冷温水空調機の保証時間を熱動弁４の耐用回数で除した（割った）時間の２倍に設定することもできる。ここで、開閉１サイクル時間とは、開放保持時間（又は閉鎖保持時間）に、これに連続する閉鎖保持時間（又は開放保持時間）を加えた時間とする。
【００１５】
例えば、冷温水空調機の保証時間を１０，０００時間（６００，０００分）とし、熱動弁４の耐用回数を１００，０００回（１０回／６０分）とすると、熱動弁４の１回当りの作動保持時間は、冷温水空調機の保証時間を熱動弁４の耐用回数で除した（割った）時間、即ち、６００，０００÷１００，０００となって最低６分となる。
【００１６】
そして、開閉１サイクル時間は、開放保持時間に、これに連続する閉鎖保持時間を加えた時間であるため、この１回当りの時間（６分）を２回分にした時間が開閉１サイクル時間の下限になる。
従って、１回当りの時間を２倍した時間（６分×２＝１２分）を開閉１サイクル時間の下限として設定しておけば、冷温水空調機の保証時間内で熱動弁４の作動回数が耐用回数を越えることはない。
【００１７】
【発明の効果】
以上説明してきたように、本発明の冷温水空調機にあっては、熱動弁の作動回数を規制し、冷温水空調機の保証時間内で熱動弁の作動回数が耐用回数を越えることがないように、熱動弁の作動保持時間の下限を設定したので、熱動弁の過度な作動を回避することができ、作動不良や故障等のトラブルを未然に防止できるという効果が得られる。
【図面の簡単な説明】
【図１】本発明の実施の１形態である冷温水空調機の概略説明図である。
【符号の説明】
１  室内機
１０  熱交換器
２  室外熱源機
３  熱媒水循環管
４  熱動弁
５  室温コントローラ
【図１】
0004703868.tif 000002